(57)【要約】【課題】フレキシブル光ディスクとの貼り付きを防止するフレキシブル光ディスク用ターンテーブルを提供する。【解決手段】フレキシブル光ディスク搭載面と、スピンドルに嵌る中心孔とを備えた透明基板からなるフレキシブル光ディスク用ターンテーブルであって、前記フレキシブル光ディスク搭載面に透明な帯電防止膜が設けられ、前記帯電防止膜の表面には微細凹凸が形成されている。【選択図】図１
2008234704.tif 000002
【特許請求の範囲】
【請求項１】
フレキシブル光ディスク搭載面と、スピンドルに嵌る中心孔とを備えた透明基板からなるフレキシブル光ディスク用ターンテーブルであって、
前記フレキシブル光ディスク搭載面に透明な帯電防止膜が設けられ、前記帯電防止膜の表面には微細凹凸が形成されていることを特徴とするフレキシブル光ディスク用ターンテーブル。
【請求項２】
前記帯電防止膜はポリチオフェン系ポリマーからなることを特徴とする請求項１に記載のフレキシブル光ディスク用ターンテーブル。
【請求項３】
前記帯電防止膜の表面上の微細凹凸の寸法は、０．０１〜２０μｍであることを特徴とする請求項１又は２に記載のフレキシブル光ディスク用ターンテーブル。
【請求項４】
プラスチック製又はガラス製であることを特徴とする請求項１乃至３のいずれか１項に記載のフレキシブル光ディスク用ターンテーブル。
【請求項５】
外径がφ１００ｍｍ〜φ１３０ｍｍであることを特徴とする請求項１乃至４のいずれか１項に記載のフレキシブル光ディスク用ターンテーブル。
【請求項６】
前記フレキシブル光ディスク搭載面は少なくともフレキシブル光ディスクの記録領域を覆う大きさであることを特徴とする請求項１乃至４のいずれか１項に記載のフレキシブル光ディスク用ターンテーブル。
【請求項７】
厚さが０．４ｍｍ〜２．０ｍｍであることを特徴とする請求項１乃至６のいずれか１項に記載のフレキシブル光ディスク用ターンテーブル。
【請求項８】
前記フレキシブル光ディスク搭載面の表面抵抗値が１×１０６〜１×１０１２Ω／□であることを特徴とする請求項１乃至７のいずれか１項に記載のフレキシブル光ディスク用ターンテーブル。
【請求項９】
載置されるフレキシブル光ディスクの光情報記録領域より内側にある内周領域に空気流入用の貫通孔を設けたことを特徴とする請求項１乃至８のいずれか１項に記載のフレキシブル光ディスク用ターンテーブル。
【請求項１０】
請求項１乃至９のいずれか１項に記載のフレキシブル光ディスク用ターンテーブルと、
前記フレキシブル光ディスク用ターンテーブル上の、フレキシブル光ディスクの内周領域に対向する位置に載置され、前記フレキシブル光ディスクと前記フレキシブル光ディスク用ターンテーブルとの間に間隙を形成するためのスペーサーと、
前記フレキシブル光ディスク及び前記フレキシブル光ディスク用ターンテーブルを回転させるためのスピンドル部と、
光ピックアップとを備えることを特徴とする光情報記録再生装置。
【請求項１１】
請求項１乃至９のいずれか１項に記載のフレキシブル光ディスク用ターンテーブルと、
前記フレキシブル光ディスク用ターンテーブル上の、フレキシブル光ディスクの内周領域に対向する位置に載置され、前記フレキシブル光ディスクと前記フレキシブル光ディスク用ターンテーブルとの間に間隙を形成するためのスペーサーと、
前記フレキシブル光ディスク及び前記フレキシブル光ディスク用ターンテーブルを回転させるためのスピンドル部とを備えることを特徴とするフレキシブル光ディスク回転装置。
【請求項１２】
中心孔を有する円板状の透明基板を準備する工程と、
前記透明基板の少なくとも片方の面に揮発性溶媒で希釈したポリチオフェン系透明導電性ポリマーをスピンコートする工程と、
前記ポリチオフェン系透明導電性ポリマーをＵＶ照射によって硬化させる工程とを含むことを特徴とするフレキシブル光ディスク用ターンテーブルの製造方法。
【発明の詳細な説明】
【技術分野】
【０００１】
本発明は、フレキシブル光ディスク用ターンテーブル及びその製造方法に関する。本発明は、このようなフレキシブル光ディスク用ターンテーブルを使用する光情報記録再生装置及びフレキシブル光ディスク回転装置にも関する。
【背景技術】
【０００２】
近年、情報量の増加に伴い、ハードディスク等の大容量高記録密度媒体の需要が増えている。また、大容量高記録密度媒体は、信頼性、低コスト化についても求められている。光ディスクは、これらの期待に応えることのできる信頼性を持っており、且つ低コストなためその需要エリアは幅広い。
【０００３】
しかし、ハードディスク等に比べ、光ディスク１枚の記録容量は少ないため、さらなる高記録密度化が現在の課題ともいえる。ＨＤ  ＤＶＤやＢｌｕ−ｒａｙディスクのように、記録再生に用いられるレーザのスポット径を狭めた青色レーザを使用する高記録密度な光メディアが登場している。これらは、ディスク形成においてディスクのパターン面におけるランドプリピット（溝形状）を現行のＤＶＤよりもさらに微細化することにより、光ディスクの高記録密度化を図ることができたが、このような方法によるさらなる高記録密度化は現状では困難である。
【０００４】
そこで、さらなる高記録密度化のため、ディスク基板そのものを薄くしたフレキシブル光ディスクの開発が行われている。従来の光ディスクの記憶容量のままディスクの厚みを薄くすれば、多数枚積層した場合、単位体積あたりの記憶容量を上げることができ、大記録容量化を実現することができる。
【０００５】
しかしながら、このような薄い基板を用いる薄型フレキシブル光ディスクは、その製造装置や記録再生装置における回転時に面ぶれが生じ、安定に回転させることが難しいという問題がある。
【０００６】
そこで、例えば、特許文献１及び２には、薄型フレキシブル光ディスクとスタビライザを組み合わせることにより、薄型フレキシブル光ディスクを面ぶれが少なく安定に回転させる技術が記載されている。また、特許文献３には、薄型フレキシブル光ディスクをターンテーブルに載置して回転させる技術が記載されている。
【０００７】
【特許文献１】特開２００３−３３１５６１号公報
【特許文献２】特開２００３−９１９７０号公報
【特許文献３】特開２００６−２９４１６７号公報
【発明の開示】
【発明が解決しようとする課題】
【０００８】
しかしながら、特許文献１及び２のようなスタビライザを用いる方式では、強度の弱い薄型フレキシブル光ディスクが折れ曲がった状態で回転してしまったり、回転する薄型フレキシブル光ディスクにスタビライザが接触してしまったりするなど、薄型フレキシブル光ディスクを確実かつ安定して記録再生する光情報記録再生システムを実現するには依然として問題があった。
【０００９】
そこで本発明者らは、特許文献３のように、フレキシブル光ディスクを用いるに際し、より確実かつ安全なシステムを構築するために、スタビライザの使用をやめ、代わりにターンテーブルを用いることを提案した。フレキシブル光ディスクをターンテーブルに載置して、種々の実験を繰り返したところ、フレキシブル光ディスクは、以下に述べるように従来の記録媒体とは異なる挙動を示し、確実な記録再生が困難であった。
【００１０】
まず、厚さ１００μｍ程度のフレキシブル光ディスクをほぼ同じ大きさのターンテーブルの上に載せ、このターンテーブルでフレキシブル光ディスクを支持することを試みた。ターンテーブルは、光学ガラスで作製し、レーザをこのターンテーブル越しにフレキシブル光ディスクに照射する。
【００１１】
１００μｍ厚のフレキシブル光ディスクと５００μｍ厚のターンテーブルを用意し、前者を後者の上に偏心が小さくなるように載せたところ、次のような現象が現れた。
（イ）ターンテーブルとフレキシブル光ディスクの一部の領域同士が吸着した。
（ロ）吸着部分が他の部分を次々に巻き込んで吸着領域が広がっていくのが観察された。
（ハ）吸着領域の拡大は、ある範囲で落ち着いてそれ以上は広がらなかった。
（ニ）結局、ターンテーブルとフレキシブル光ディスクは一様には吸着せず、所々にエア噛み部分が残った。
（ホ）このようなエア噛み部分が残った状態でターンテーブル上に載置されたフレキシブル光ディスクを記録再生装置で記録再生を試みたところ、まったく記録再生ができなかった。
【００１２】
このような実験結果から、本発明者らは、エア噛み現象が記録再生を阻害する原因とみて、このエア噛み現象が発生する原因を確認し、それを回避する方策を考えた。本発明者らは、まず、吸着部分が常に局所的に発生する現象に気がついた。そして、フレキシブル光ディスク及びターンテーブルが不導体でできていることに注目し、現象に静電気が関与していることを突き止めた。帯電した部分同士が接触し、静電気が中和されると、吸着部分はそれ以上に広がらず、帯電部分に応じて吸着部分が局所的に発生する。この結果、フレキシブル光ディスクには部分的にひずみができるから、フレキシブル光ディスクとターンテーブルの中和が済んでいない部分同士の領域に過不足が生じ、吸着することなく取り残された島状部が残存する。このような理由でエア噛み現象が起こるものと考えた。また、記録再生ができなかったのは、記録再生装置によるフォーカス追従が実行されたかったためであり、これは、エア噛みが存在することによってディスク回転時に局所的な面ブレが発生することによるものと考えた。さらにこのエア噛みは、記録再生ができたとしてもその後も残留するため、記録再生装置からフレキシブル光ディスクを取り出す際に、フレキシブル光ディスクとターンテーブルの摺動によってこれらの表面に傷がつくおそれがあるという問題もあった。
【００１３】
上述したことを鑑み、本発明は、フレキシブル光ディスクとの貼り付きを防止するフレキシブル光ディスク用ターンテーブルを提供することを目的とする。本発明は、また、このようなフレキシブル光ディスク用ターンテーブルの製造方法も提供する。本発明は、さらに、このようなフレキシブル光ディスク用ターンテーブルを使用する光情報記録再生装置及びフレキシブル光ディスク回転装置も提供する。
【課題を解決するための手段】
【００１４】
本発明のフレキシブル光ディスク用ターンテーブルは、フレキシブル光ディスク搭載面と、スピンドルに嵌る中心孔とを備えた透明基板からなるフレキシブル光ディスク用ターンテーブルであって、前記フレキシブル光ディスク搭載面に透明な帯電防止膜が設けられ、前記帯電防止膜の表面には微細凹凸が形成されていることを特徴とする。帯電防止膜の帯電防止作用に加えて、帯電防止膜の表面の微細凹凸によりフレキシブル光ディスクとの接触面積が狭くなることにより、貼り付きが防止される。微細凹凸は透明体かつ微細なため、ターンテーブル越しのフレキシブル光ディスクの記録再生を妨げない。
【００１５】
好適には、前記帯電防止膜はポリチオフェン系ポリマーからなる。
好適には、前記帯電防止膜の表面上の微細凹凸の寸法は、０．０１〜２０μｍである。
好適には、該フレキシブル光ディスク用ターンテーブルは、プラスチック製又はガラス製である。
【００１６】
好適には、該フレキシブル光ディスク用ターンテーブルの外径は、φ１００ｍｍ〜φ１３０ｍｍである。
【００１７】
好適には、前記フレキシブル光ディスク搭載面は少なくともフレキシブル光ディスクの記録領域を覆う大きさである。
【００１８】
好適には、該フレキシブル光ディスク用ターンテーブルの厚さは、０．４ｍｍ〜２．０ｍｍである。
【００１９】
好適には、前記フレキシブル光ディスク搭載面の表面抵抗値が１×１０６〜１×１０１２Ω／□である。
【００２０】
該フレキシブル光ディスク用ターンテーブルにおいて、載置されるフレキシブル光ディスクの光情報記録領域より内側にある内周領域に空気流入用の貫通孔を設けてもよい。
【００２１】
本発明の光情報記録再生装置は、上記のようなフレキシブル光ディスク用ターンテーブルと、前記フレキシブル光ディスク用ターンテーブル上の、フレキシブル光ディスクの内周領域に対向する位置に載置され、前記フレキシブル光ディスクと前記フレキシブル光ディスク用ターンテーブルとの間に間隙を形成するためのスペーサーと、前記フレキシブル光ディスク及び前記フレキシブル光ディスク用ターンテーブルを回転させるためのスピンドル部と、光ピックアップとを備えることを特徴とする。
【００２２】
本発明のフレキシブル光ディスク回転装置は、上記のようなフレキシブル光ディスク用ターンテーブルと、前記フレキシブル光ディスク用ターンテーブル上の、フレキシブル光ディスクの内周領域に対向する位置に載置され、前記フレキシブル光ディスクと前記フレキシブル光ディスク用ターンテーブルとの間に間隙を形成するためのスペーサーと、前記フレキシブル光ディスク及び前記フレキシブル光ディスク用ターンテーブルを回転させるためのスピンドル部とを備えることを特徴とする。
【００２３】
本発明のフレキシブル光ディスク用ターンテーブルの製造方法は、中心孔を有する円板状の透明基板を準備する工程と、前記透明基板の少なくとも片方の面に揮発性溶媒で希釈したポリチオフェン系透明導電性ポリマーをスピンコートする工程と、前記ポリチオフェン系透明導電性ポリマーをＵＶ照射によって硬化させる工程とを含むことを特徴とする。揮発性溶媒で希釈したポリチオフェン系透明導電性ポリマーは、ＵＶ照射により瞬間的に硬化し、表面にランダムな形状、配置の数十ナノ〜数十ミクロンの凹凸が生じる。
【発明の効果】
【００２４】
本発明によれば、フレキシブル光ディスクとの貼り付きを防止するフレキシブル光ディスク用ターンテーブルが実現する。
【発明を実施するための最良の形態】
【００２５】
図１は、本発明のフレキシブル光ディスク用ターンテーブルの一実施形態を模式的に示す図である。記録再生装置等のフレキシブル光ディスク回転装置内において、ターンテーブル１０２上にスペーサ１０４を介してフレキシブル光ディスク１０１を搭載する。これらを回転させるためのスピンドル１０６にこれらの中心孔を嵌め、クランプ１０８によって挟み込んでチャッキングを安定させる。
【００２６】
本発明と共に用いられるフレキシブル光ディスクは、例えば、厚さ１００μｍのポリカーボネートフィルムに色素記録層、銀を主成分とする金属反射層、保護コートを積層した、光記録再生可能なものであり、外径がφ１２０ｍｍ、内径がφ１５ｍｍのドーナツ板であり、その重さ１ｇ程度のものである。
【００２７】
ターンテーブル１０２の基板は、例えばガラスやプラスチック等の透明な材料から成る円板であり、フレキシブル光ディスク１０１とほぼ同じ径の中心孔を有する。ターンテーブル１０２の製造は、このような透明基板の一方の面に、イソプロピルアルコール等の揮発性の高い溶媒で希釈したポリチオフェン系透明導電性ポリマーを、例えば１０００ｒｐｍ〜４０００ｒｐｍの回転数で厚さ１〜２０μｍ程度にスピンコートし、硬化させることによって行われる。このようなポリチオフェン系透明導電性ポリマー剤が硬化すると、表面に０．０１〜２０μｍのランダムな形状の微細凹凸１１０が形成される。このような微細凹凸１１０が形成された面をフレキシブル光ディスク搭載面とする。ターンテーブル１０２のフレキシブル光ディスク搭載面が、少なくともその上に載置されるフレキシブル光ディスクの記録再生エリアを覆うようにターンテーブル１０２の外径を選択する必要がある。例えば、フレキシブル光ディスクがＤＶＤ等と同様のφ１２０ｍｍである場合、ターンテーブル１０２の外径は、φ１００ｍｍ〜φ１３０ｍｍ程度が好適である。レーザ光がターンテーブル１０２越しにフレキシブル光ディスク１０１の記録層に照射されることを考慮すると、ターンテーブル１０２の厚さは、０．４〜２．０ｍｍ程度が好適である。ポリチオフェン系透明透明導電性ポリマーの微細凹凸１１０は透明かつ微細であるので、ターンテーブル越しのフレキシブル光ディスクの記録再生の障害にはならない。
【００２８】
このようにしてポリチオフェン系透明透明導電性ポリマーの微細凹凸１１０が形成されたターンテーブル１０２のフレキシブル光ディスク搭載面は、１×１０６〜１０１２Ω／□の表面抵抗値を持つため、２０００ｒｐｍ以上の高速回転時においても極性基が発生せず、２０００ｒｐｍ以上の高速回転後の静止後においてもエア噛みを発生しない。また、微細凹凸１１０同士の間は空間が存在するため、フレキシブル光ディスクの回転時に内周から外周方向へ流れる空気流が発生し、エア噛みの発生の防止に寄与する。また、ターンテーブル１０２のフレキシブル光ディスク搭載面に塗布されたポリチオフェン系透明型導電性ポリマーは、回転の際に生じる空気流に混在した塵埃の衝突や、フレキシブル光ディスクとターンテーブルのフレキシブル光ディスク搭載面との摺動によって、フレキシブル光ディスクを構成するプラスチックフィルムあるいはターンテーブル表面が傷つくことを防止する保護層としても機能する。
【００２９】
本発明の効果を確認するために、本発明の実施例として図１に示すような実施形態のフレキシブル光ディスク用ターンテーブルを用意し、比較例として図２のようなフレキシブル光ディスク用ターンテーブルを用意し、以下のような実験を行った。
【００３０】
本発明の実施例において、ターンテーブル１０２は、厚さ０．５ｍｍのソーダガラス板で、外径はφ１２５ｍｍ、内径はφ１５ｍｍのドーナツ状であり、表面抵抗は１×１０１４Ω／□である。ターンテーブル１０２の一方の表面上に、表面抵抗値１×１０６〜１×１０１２Ω／□、粘度１５ｍＰａ・ｓの透明型導電性ポリマー（インスコン・テック株式会社製コニソルＵ−２００）を３０００ｒｐｍでスピンコートし、ＵＶ照射により十分に硬化させることで、表面全体に０．１〜１０μｍの不均一且つ透明な微細凹凸１１０を形成した。この状態での表面抵抗値は、１×１０７Ω／□である。このような透明型導電性ポリマーを塗布した面がターンテーブル１０２のフレキシブル光ディスク搭載面である。
【００３１】
比較例において、フレキシブル光ディスク用ターンテーブル２０２は、表面に透明型導電性ポリマーをスピンコートしない状態の図１のターンテーブル１０２と同様のものであり、厚さ０．５ｍｍのソーダガラス板で、外径はφ１２５ｍｍ、内径はφ１５ｍｍのドーナツ状であり、表面抵抗は１×１０１４Ω／□である。
【００３２】
実施例と比較例において、ターンテーブル以外の構成は同様である。フレキシブル光ディスク１０１は、厚さ１００μｍのポリカーボネートフィルムに色素記録層と、銀を主成分とする金属反射層と、保護コートとを積層して成り、外径はφ１２０ｍｍ、内径はφ１５ｍｍのドーナツ状であり、重さは１〜５ｇである。スペーサ１０４は、ＳＵＳ３０４製で、厚さ０．１ｍｍ、外径φ３３ｍｍ、内径φ１５ｍｍのドーナツ状である。
【００３３】
実施例ではターンテーブル１０２上に、比較例ではターンテーブル２０２上にスペーサ１０４を介してフレキシブル光ディスク１０１を搭載する。これらを回転させるためのスピンドル１０６にこれらの中心孔を嵌め、クランプ１０８によって挟み込んでチャッキングを安定させる。
【００３４】
図１及び図２に示す構成において、２０００ｒｐｍ、４０００ｒｐｍ、５０００ｒｐｍ、６０００ｒｐｍ、８０００ｒｐｍ、１００００ｒｐｍで回転させたときの、フレキシブル光ディスク１０１の内周（Ｒ＝２２ｍｍ）、中周（Ｒ＝４０ｍｍ）、外周（Ｒ＝５７ｍｍ）の位置における、面ぶれ量と、面ぶれ速度と、面ぶれ加速度を測定した。内周における測定結果を図３に、中周における測定結果を図４に、外周における測定結果を図５にそれぞれ示す。これらの図３〜５において、（ａ）は比較例の測定結果を示し、（ｂ）は実施例の測定結果を示す。これらの数値は、低いものほど面ぶれが少なく、ディスクの記録再生が良好に行えることを意味する。実施例と比較例を比較すると、内周、中周、外周共、明らかに実施例の方が面ぶれが少ないことがわかる。特に、フレキシブル光ディスク外周部に注目すると、フレキシブル光ディスクとターンテーブルの回転に伴って空気の乱流が発生していることが予想され、この空気の乱流によってフレキシブル光ディスクに非定常的な力が発生し、その結果、フレキシブル光ディスクの面ぶれ量が増えると考えられる。さらに、高速回転時に発生した静電気が起因し、ターンテーブルとフレキシブル光ディスクが局所的に付着してエア噛みが発生するため、表面に微細凹凸が無い比較例の方が、実施例よりも乱流の影響を強く受け、面ぶれ量が大きくなると考えられる。
【００３５】
続いて、実施例及び比較例のフレキシブル光ディスクを載置したターンテーブルを４０００ｒｐｍの高速回転した後、静止させて、ターンテーブル上のフレキシブル光ディスクを吸着圧力２５ｋＰａ、ノズルφ７ｍｍの吸着ピンセットで脱着させるディスク脱着試験をそれぞれ１００回行った。その結果を図６のグラフに示す。このグラフでは、ディスク脱着回数１０回ごとの貼り付き回数を示す。比較例では合計８９回も貼り付きが生じたのに対し、実施例では一度も貼り付くことがなかった。
【００３６】
図７は、本発明のフレキシブル光ディスク用ターンテーブルの他の実施形態を模式的に示す図である。図１に示す実施形態と同様に、この実施形態におけるターンテーブル３０２は、例えばガラスやプラスチック等の透明な材料から成る円板であり、フレキシブル光ディスク１０１とほぼ同じ径の中心孔を有する。ターンテーブル３０２の製造は、このような透明基板の一方の面に、イソプロピルアルコール等の揮発性の高い溶媒で希釈したポリチオフェン系透明導電性ポリマーを、例えば１０００ｒｐｍ〜４０００ｒｐｍの回転数で厚さ１〜２０μｍ程度にスピンコートし、硬化させることによって行われる。このようなポリチオフェン系透明導電性ポリマー剤が硬化すると、表面に０．０１〜２０μｍのランダムな形状の微細凹凸１１０が形成される。このような微細凹凸１１０が形成された面をフレキシブル光ディスク搭載面とする。ターンテーブル３０２の外径は、ターンテーブル３０２のフレキシブル光ディスク搭載面が、少なくともその上に載置されるフレキシブル光ディスクの記録再生エリアを覆うように選択する必要があり、例えば、φ１００ｍｍ〜φ１３０ｍｍ程度が好適である。ターンテーブル３０２の厚さは、レーザ光がターンテーブル３０２越しにフレキシブル光ディスク１０１の記録層に照射されることを考慮すると、０．４〜２．０ｍｍ程度が好適である。本実施形態のターンテーブル３０２は、内周部に空気流入用の貫通孔３０３を有する。これにより、空気の流れがよりスムーズに行われるようになるため、さらに局所的な面ぶれを低減しかつ面ぶれがより少なく安定した状態を保つことができるようになった。空気流入用の貫通孔３０３は多数満遍なく設けることにより均一な空気の流れを実現することが望ましい。実際的には、複数個、好ましくは３個〜５０個、回転中心対称に円周状に配置するのが望ましい。貫通孔３０３の径は２ｍｍφ〜7ｍｍφが望ましい。ともかくターンテーブル３０２の強度が極端に落ちない程度の径と数にする。図示しないが、貫通孔には渦発生防止のため孔周縁はアール加工されることが望ましい。
【００３７】
図８は、上記で説明したような本発明のフレキシブル光ディスク用ターンテーブルを使用する光情報記録再生装置の構成の一例を示すブロック図である。本例では、図１に示したものと同様のフレキシブル光ディスク用ターンテーブルを用いるが、もちろん図７に示したものと同様のフレキシブル光ディスク用ターンテーブルを用いてもかまわない。本例の光情報記録再生装置は、例えば、図１と同様のターンテーブル１０２と、ＳＵＳ３０４製で外径３３ｍｍφ、内径１５ｍｍφ、厚さ０．１ｍｍのスペーサー１０４と、ターンテーブル１０２及び載置されたフレキシブル光ディスク１０１を回転させるためのスピンドル１０６と、チャッキングを安定させるためのクランプ１０８と、光ピックアップ８０１と、を備える。また、この光情報記録再生装置は、記録／再生信号の入出力をするためのインターフェース部８０２と、記録するための信号を符号化し、かつ、光ピックアップによって読み取られた再生信号を復号する信号処理部８０３と、フォーカス／トラッキングサーボ信号を生成するフォーカス／トラッキングサーボ回路８０５と、フォーカス／トラッキングサーボ回路８０５からのサーボ信号に応じて光ピックアップを作動させる光ヘッドアクセス機構８０６と、スピンドル１０６の回転速度を制御するための回転制御回路８０４とを備えている。このような構成とすることにより、フレキシブル光ディスクとフレキシブル光ディスク用ターンテーブルとの貼り付くことによるエア噛みの問題が発生せず、フレキシブル光ディスクを面ぶれさせることなく安定に回転させることができるようになるので、安定した記録再生を行うことができる。
【００３８】
本発明のフレキシブル光ディスク用ターンテーブルは、フレキシブル光ディスクの製造工程、例えば、ディスク基板上に接着剤等をスピンコーティングする際にディスク基板を回転させるディスク回転装置において使用するターンテーブルとしても使用可能である。図９は、このような用途に用いるフレキシブル光ディスク回転装置の構成の一例を示すブロック図である。本例では、図１に示したものと同様のフレキシブル光ディスク用ターンテーブルを用いるが、もちろん図７に示したものと同様のフレキシブル光ディスク用ターンテーブルを用いてもかまわない。本例の光情報記録再生装置は、例えば、図１と同様のターンテーブル１０２と、ＳＵＳ３０４製で外径３３ｍｍφ、内径１５ｍｍφ、厚さ０．１ｍｍのスペーサー１０４と、ターンテーブル１０２及び載置されたフレキシブル光ディスク１０１を回転させるためのスピンドル１０６と、チャッキングを安定させるためのクランプ１０８と、スピンドル１０６の回転速度を制御するための回転制御回路８０４とを備えている。このような構成とすることにより、フレキシブル光ディスクとフレキシブル光ディスク用ターンテーブルとの貼り付くことによるエア噛みの問題が発生せず、フレキシブル光ディスクを面ぶれさせることなく安定に回転させることができるようになる。
【産業上の利用可能性】
【００３９】
本発明は、フレキシブル光ディスク用ターンテーブルに利用可能である。
【図面の簡単な説明】
【００４０】
【図１】本発明のフレキシブル光ディスク用ターンテーブルの一実施形態を模式的に示す図である。
【図２】比較例のフレキシブル光ディスク用ターンテーブルを模式的に示す図である。
【図３】ディスク内周における面ぶれ量の測定結果を示すグラフであり、（ａ）は比較例の測定結果を示し、（ｂ）は実施例の測定結果を示す。
【図４】ディスク中周における面ぶれ量の測定結果を示すグラフであり、（ａ）は比較例の測定結果を示し、（ｂ）は実施例の測定結果を示す。
【図５】ディスク外周における面ぶれ量の測定結果を示すグラフであり、（ａ）は比較例の測定結果を示し、（ｂ）は実施例の測定結果を示す。
【図６】ディスク脱着試験結果を示すグラフである。
【図７】本発明のフレキシブル光ディスク用ターンテーブルの他の実施形態を模式的に示す図である。
【図８】本発明の光情報記録再生装置の構成の一例を示すブロック図である。
【図９】本発明のフレキシブル光ディスク回転装置の構成の一例を示すブロック図である。
【符号の説明】
【００４１】
１０１、２０２、３０２  フレキシブル光ディスク
１０２  ターンテーブル
１０４  スペーサ
１０６  スピンドル
１０８  クランプ
１１０  微細凹凸
３０３  空気流入用貫通孔
８０１  光ピックアップ
８０２  インターフェース部
８０３  信号処理部
８０４  回転制御回路
８０５  フォーカス／トラッキングサーボ回路
８０６  光ヘッドアクセス機構
【図１】
2008234704.tif 000003
【図２】
2008234704.tif 000004
【図３】
2008234704.tif 000005
【図４】
2008234704.tif 000006
【図５】
2008234704.tif 000007
【図６】
2008234704.tif 000008
【図７】
2008234704.tif 000009
【図８】
2008234704.tif 000010
【図９】
2008234704.tif 000011